(57)【要約】【課題】窓シャッターのシャッターと窓サッシの間にロールスクリーンを設けるものでありながら、ロールスクリーンのメンテナンス・交換を容易に行うことができる窓シャッター装置を提供する。【解決手段】建物開口部を開閉する窓装置と、窓装置の屋外側に設置されたシャッター装置と、を備えた窓シャッター装置において、前記窓装置と前記シャッター装置との間に位置してロールスクリーンを設け、前記シャッター装置のシャッター用巻取シャフト５の屋内側かつ下方に位置してスクリーンの収納空間Ｓが形成されており、収納空間Ｓに、スクリーン用巻取シャフト１２を着脱自在に設けると共に、収納空間Ｓの下面を、着脱可能あるいは開閉可能なカバー（第二板片１８）から構成した。【選択図】  図２
2008150843.tif 000002
【特許請求の範囲】
【請求項１】
建物開口部を開閉する窓装置と、窓装置の屋外側に設置されたシャッター装置と、を備えた窓シャッター装置において、
前記窓装置と前記シャッター装置との間に位置してロールスクリーンを設け、
前記シャッター装置のシャッター用巻取シャフトの屋内側かつ下方に位置してスクリーンの収納空間が形成されており、
前記収納空間に、スクリーン用巻取シャフトを着脱自在に設けると共に、前記スクリーン用巻取シャフトを前記収納空間の下側から取り付け・取り出し可能に構成した、窓シャッター装置。
【請求項２】
前記収納空間の下面を、着脱可能あるいは開閉可能なカバーから構成した、請求項１に記載の窓シャッター装置。
【請求項３】
前記窓装置のサッシ枠上枠の上面を、前記シャッター用巻取シャフトを内装するシャッターケースの下面よりも下方に位置させ、前記収納空間の下側部位を前記シャッターケース下面と前記サッシ枠上枠の上面との間に位置させてなる、請求項１，２いずれかに記載の窓シャッター装置。
【請求項４】
前記ロールスクリーン用巻取シャフトと前記シャッター用巻取シャフトとの間には仕切板が設けてあり、仕切板の下方側に前記収納空間が形成されている、請求項１乃至３いずれかに記載の窓シャッター装置。
【請求項５】
前記仕切板の屋外側部位には、シャッターカーテン及び／或はスクリーンの全閉時用のストッパーが形成されている、請求項４に記載の窓シャッター装置。
【発明の詳細な説明】
【技術分野】
【０００１】
本発明は、ロールスクリーンを備えた窓シャッター装置に関するものである。
【背景技術】
【０００２】
従来、窓シャッターにロールスクリーン（ロール網戸を含む）を併設する場合には、サッシの内側に設置するか、シャッターの外側（特許文献１）に設置してある。これには、シャッターカーテンの内側にスクリーンを設置するスペースが取れないこと、スクリーンのメンテナンスが困難であることが理由として挙げられる。また、スクリーンが網戸である場合に、特許文献１のようにシャッターカーテンの外側にスクリーンを設置することは不利である。網戸はその機能上、枠との間に隙間が生じてはならないため、シャッター枠（上下枠、左右のガイドレール）をさらに屋外側に突出させて、網戸との隙間を無くす必要があるからである。
【０００３】
シャッターカーテンの内側にスクリーンを設置するものとして特許文献２が挙げられる。このものは、シャッターケース内において、シャッター用巻取シャフトの上方に設けた断熱幕用巻取シャフトに断熱幕を巻き取るようにしているため、スクリーンの設置が困難であるのみならず、設置後のメンテナンスのためには、シャッターケース全体を取り外す必要がある。また、このものは、断熱幕という特殊用途に用いられるものであって、シャッターカーテンと断熱幕の下端を結合して一緒に降下するようにしている。
【０００４】
また、窓シャッター装置におけるスクリーンについては季節毎に異なる性能が要求され得るものであるが、シャッターの内側に設けたロールスクリーンでそのような機能を備えたものは従来存在しなかった。
【特許文献１】特開平１０−２９９３４９号
【特許文献２】実開昭５６−１９９６号
【発明の開示】
【発明が解決しようとする課題】
【０００５】
本発明は、窓シャッターのシャッターと窓サッシの間にロールスクリーンを設けるものでありながら、ロールスクリーンのメンテナンス・交換を容易に行うことができる窓シャッター装置を提供することを目的とするものである。
【課題を解決するための手段】
【０００６】
かかる課題を達成するために本発明が採用した技術手段は、建物開口部を開閉する窓装置と、窓装置の屋外側に設置されたシャッター装置と、を備えた窓シャッター装置において、前記窓装置と前記シャッター装置との間に位置してロールスクリーンを設け、前記シャッター装置のシャッター用巻取シャフトの屋内側かつ下方に位置してスクリーンの収納空間が形成されており、前記収納空間に、スクリーン用巻取シャフトを着脱自在に設けると共に、前記スクリーン用巻取シャフトを前記収納空間の下側から取り付け・取り出し可能に構成した、窓シャッター装置、である。前記収納空間の下側は開口状でも良いが、前記収納空間の下面を、着脱可能あるいは開閉可能なカバーから構成することが好ましい。一つの好ましい態様では、ロールスクリーンは、ロール網戸である。また、スクリーンを部分的に網戸から形成してもよく、例えば、スクリーンの上部を網戸で、スクリーンの下部を通常のスクリーンから形成してもよい。一つの好ましい態様では、前記シャッター用巻取シャフト及び前記スクリーン用巻取シャフトはシャッターケース内に設けてあり、前記スクリーン巻取シャフトの左右端部はシャッターケース内に設けたブラケットに対して着脱自在に連結されている。
【０００７】
一つの好ましい態様では、前記ロールスクリーン用巻取シャフトと前記シャッター用巻取シャフトとの間には仕切板が設けてあり、仕切板の下方側に前記収納空間が形成されている。
【０００８】
一つの好ましい態様では、前記仕切板の屋外側部位には、シャッターカーテン及びスクリーンの全閉時用のストッパーが形成されている。
【発明の効果】
【０００９】
本発明によれば、窓シャッターのシャッターと窓サッシの間にロールスクリーンを設けるものでありながら、ロールスクリーンのメンテナンス・交換を容易に行うことができる。また、前記窓装置のサッシ枠上枠の上面を、前記シャッター用巻取シャフトを内装するシャッターケースの下面よりも下方に位置させ、前記収納空間の下側部位を前記シャッターケース下面と前記サッシ枠上枠の上面との間に位置させることで、シャッターケース自体の寸法を大きくすることなく、シャッター装置と窓装置との間の狭い空間に網戸の収納空間を形成することができる。
【００１０】
前記ロールスクリーン用巻取シャフトと前記シャッター用巻取シャフトとの間には仕切板が設けることで、シャッターカーテンの巻きが崩れた場合であっても、ロールスクリーンがその影響を受けることがない。また、仕切板は、雨水が付着したスラットが巻き取られた場合に、スラットに付着した雨水がロールスクリーンに滴下することを防ぐことができる。
【００１１】
前記仕切板の屋外側部位に、シャッターカーテン及び／或はスクリーンの全閉時用のストッパーが形成されているものでは、仕切板にさらにストッパーとしての機能を付与することで、部位品点数の削減を図ることができる。
【発明を実施するための最良の形態】
【００１２】
本発明の実施の形態を図面に基づいて説明する。図１は本発明に係る窓シャッター装置の全体正面図、図２は本発明に係る窓シャッター装置の一部省略縦断面図、図３は本発明に係る窓シャッター装置の一部省略横断面図である。本発明に係る窓シャッター装置は、窓装置とシャッター装置との間に位置してロールスクリーンとして例示するロール網戸が設けてある。ロール網戸は、シャッター装置とは独立して操作可能に構成されている。
【００１３】
建物開口部には、上枠１Ａ、下枠１Ｂ、左右の縦枠１Ｃ，１Ｄを備えた窓装置のサッシ枠が設けてある。図示の例では、窓装置は引戸装置であり、サッシ枠には、障子２Ａ，２Ｂが左右方向に移動可能に設けてある。
【００１４】
建物開口部の上方に位置してシャッターケース３が持ち出し状に突設されている。シャッターケース３内には、シャッターカーテン４の巻き取り・繰り出しを行う巻取シャフト５が設けてある。巻取シャフト５は、シャッターケース３の両側部に位置して設けた左右の板状のブラケット６間に支持されている。ブラケット６は、シャッターケース３の側部を構成してもよく、あるいは、シャッターケース３の側部とは別部材からブラケット６を構成してもよい。シャッターケース４内には、巻取シャフト５を回転駆動させるための開閉機１０が、巻取シャフト５の屋外側に位置して設けてある。
【００１５】
建物開口部の左右に位置して左右の縦枠７が持ち出し状に突設されており、縦枠７の先端にはシャッターカーテン４の左右端部を案内するガイドレール８が形成されている。また、建物開口部の下方に位置して下枠９が持ち出し状に突設されている。
【００１６】
シャッターカーテン４は、複数枚のスラット４０を上下方向に連設して構成されており、最下端には座板４１が設けてあり、座板４１には緩衝部材としての樹脂製ブロック４１Ａが設けてある。図２において、シャッターカーテン４が巻取シャフト５に巻き取られた全開時の座板の位置、シャッターカーテン４が巻取シャフト５から繰り出された全閉時の座板の位置が示してある。全開位置では、座板４１の樹脂製ブロック４１Ａが後述するストッパー１６に当接しており、全閉位置では、座板４１が下枠９の先端部位に当接している。
【００１７】
シャッターケース４内には、スクリーンとしての網体１１の巻き取り・繰り出しを行う網戸用巻取シャフト１２が設けてある。縦枠７の先端に形成されたガイドレール８の内側に位置して、網体１１の左右端部を案内するロール網戸用ガイドレール１３が形成されている。ロール網戸の網体１１は、窓装置の障子２Ａ，２ｂが区画する部位の屋外側で、シャッター装置のシャッターカーテン４が区画する部位の屋内側の部位を遮蔽するように設けてある。網戸用巻取シャフト１２にはバネが内蔵されており、バネは網戸１１を巻き取る方向に巻取シャフト１２を付勢している。図示の例では、ロール網戸用ガイドレール１３は、別体で形成されて、螺子で縦枠７に連結されているが、ロール網戸用ガイドレール１３を縦枠７と一体形成してもよい。
【００１８】
ロール網戸用の巻取シャフト１２は、シャッター用巻取シャフト５より屋内側で、かつ、下方に位置して設けてある。ロール網戸用巻取シャフト１２の両端部は網戸用ブラケット１４に着脱自在に連結支持されている。網戸用ブラケット１４はブラケット６の屋内側かつ下方に位置して設けてある。ブラケット１４は鉛直状に延出する面部１４０と、面部１４０の下端の水平部１４１とからＬ形状を有しており、水平部１４１には螺子孔１４１Ａが形成されている。ブラケット１４の面部１４０には、巻取シャフト１２の両端の軸部１２０を着脱可能に差し込んで連結支持する受部１４２が設けてあり、巻取シャフト１２の本体は軸部１２０に対して回転自在となっている。尚、網戸用ブラケット１４をブラケット６の一部から形成してもよい。
【００１９】
ブラケット６の屋内側かつ下方部位には、シャッターケース３の幅方向に延出する仕切板１５が設けてある。仕切板１５の下方の空間が網戸１１の収納空間Ｓを形成している。上記網戸用ブラケット１４は、収納空間Ｓ内に位置して設けてある。仕切板１５は、図６に示すように、上片１５Ａと上片１５Ａの屋外側から下方に延出する前片１５Ｂと、前片１５Ｂの下端より屋外側に延出した延出片１５Ｃとを有し、上片１５Ａ、前片１５Ｂの幅方向両端部には装着片１５０Ａ，１５０Ｂが折り曲げ形成されており、仕切板１５は、装着片１５０Ａ，１５０Ｂを介してブラケット板６に連結されている。仕切板１５がロール網戸（網戸用巻取シャフト１２及びそれに巻装された網体１１）を覆うように設けられることで、シャッターカーテン４の巻きが崩れた場合であっても、シャッターカーテン４が網体１１に干渉することがないようになっている。
【００２０】
延出片１５Ｃの幅方向の所定部位には、座板４０に設けた樹脂製ブロック４１Ａの位置に対応してシャッターカーテン用のストッパー１６が設けてある。図２に示すように、シャッターカーテン全開時においては、シャッターカーテン４の下端の座板４１の樹脂製ブロック４１Ａの上面が、ストッパー１６に当接するようになっている。同様に、図２に示すように、延出片１５Ｃは、網戸用のストッパーを構成しており、網戸全開時においては、網戸１１の座板１１Ａの上部が延出片１５Ｃに当接するようになっている。図示の例では、シャッターカーテン用のストッパー１６を仕切板１５とは別部材から形成しているが、仕切板１５とストッパー１６とを一部材から一体形成してもよい。
【００２１】
網戸の収納空間Ｓの下面は、躯体側に装着された第一板片１７と、第一板片に対して着脱自在に設けた第二板片１８とからなる。第一板片１７、第二板片１８は、シャッターケース３（仕切板１５）の幅方向に延出する長尺材である。図７に示すように、第一板片１７は、建物外壁に装着される装着部１７Ａと、装着部１７Ａの下方から垂下する鉛直部１７Ｂと、鉛直部１７Ｂの下端から屋外側に向かって水平状に延出する水平部１７Ｃと、水平部１７Ｃの先端に形成された被係止部１７Ｄとからなる。第一板片１７は、装着部１７Ａを建物外壁に当接させて螺子等の止着部材によって建物外壁に装着される。図８に示すように、第二板片１８は、水平方向に延出する水平部１８Ａと、水平部１８Ａの屋内側に形成した係止部１８Ｂと、屋外側に形成した気密部材装着部１８Ｃとからなる。水平部１８Ａには、長さ方向（開口幅方向）両端部に近接して、ブラケット１４に形成された螺子孔１４１Ａに対応する位置に、螺子孔１８Ｄが形成されている。
【００２２】
第一板片１７の被係止部１７Ｄには、第二板片１８の係止部１８Ｂが着脱自在に係止するようになっており、第二板片１８の係止部１８Ｂを第一板片１７の被係止部１７Ｄに係止させた状態で、螺子孔１８Ｄ、網戸用ブラケット１４に形成された螺子孔１４１Ａの位置を合わせて第二板片１８の水平部１８Ａを網戸用ブラケット１４の水平部１４１の下面に当接させて、第二板片１８を網戸用ブラケット１４に螺子止めする。したがって、第二板片１８は、収納空間Ｓの下面を形成する着脱自在のカバーを構成する。ロール網戸のメンテナンス時あるいは交換時には、螺子孔１８Ｄ、１４１Ａから螺子を外して収納空間Ｓの下面を構成する第二板片１８を取り外し、次いで、網戸用巻取シャフト１２を網戸用ブラケット１４の受部１４２から取り外せばよい。また、ロール網戸の取付時にも、第二板片１８を取り外した状態で、網戸用巻取シャフト１２を網戸用ブラケット１４の受部１４２に差し込み、第二板片１８を取り付ければよい。図２に示すように、網戸の収納空間Ｓの上面（図示の例では仕切板１５の上面）は、最大巻径時（開口部全開時）のシャッターカーテン４が巻装されたシャッター用巻取シャフト５よりも下方に位置している。より詳しくは、シャッターカーテン４の開口部全開時の最大巻径Ｄよりも下方に位置している。また、網戸の収納空間Ｓの下面（図示の例では第一板片１７の下面及び第二板片１８の下面）の高さ位置は、シャッターケース３の下面３０よりも下方の高さ位置にある。本実施形態では、窓装置のサッシ枠の上枠１Ａの上面１Ａ´を、シャッターケース３の下面３０よりも下方に位置させることで、収納空間Ｓの下面をシャッターケース下面３０よりも下方に位置させることを可能としている。すなわち、収納空間Ｓの下側部位がシャッターケース下面３０とサッシ枠上枠１Ａの上面１Ａ´との間の高さ位置に位置している。換言すると、収納空間Ｓが、シャッターケース３内の下方空間と、シャッターケース下面３０とサッシ枠上枠１Ａの上面１Ａ´との間の空間と、から構成されている。こうすることで、シャッターケース３自体の寸法を大きくすることなく、網戸の収納空間Ｓを形成することができる。
【００２３】
図９は、本発明の他の実施形態を示し、網戸装置の網戸及び巻取構成以外の構成は、上述の構成と同様であり、上述の記載を援用することができる。下枠９の下方空間には、スクリーン１９の収納空間Ｓ´が形成されている。スクリーン１９はスクリーン用巻取シャフト２０に巻装されており、下枠９に形成され、開口幅方向に延出する開口溝から上方に引き出されており、その上端部位には連結部１９Ａが形成されている。ロール網戸の網体１１´の下端には連結部１１´Ａが形成されており、スクリーン１９の連結部１９Ａは、網体１１´の下端に形成された連結部１１´Ａに着脱自在に装着される。
【００２４】
網体１１´とスクリーン１９とを上下で組み合わせることで日射遮蔽・外部からの視線をカットしつつ、網戸効果を発揮させることができる。ロール網体を上側に、ロールスクリーンを下側に設置し、網体の下端とスクリーンの上端とを連結し、用途に合わせて全面網戸や全面スクリーンで使用したり、あるいは、開口部を遮蔽するスクリーン全体における上部網体・下部スクリーンの割合を自由に選択することができる。
【産業上の利用可能性】
【００２５】
本発明は、ロール網戸内蔵窓シャッターに用いることができる。
【図面の簡単な説明】
【００２６】
【図１】本発明に係る窓シャッター装置の全体正面図である。
【図２】本発明に係る窓シャッター装置の一部省略縦断面図である。
【図３】本発明に係る窓シャッター装置の一部省略横断面図である。
【図４】ロール網戸を示すシャッターケース内部の一部省略正面図である。
【図５】ロール網戸を示すシャッターケース内部の一部省略側面図である。
【図６】仕切板を示す図である。
【図７】第一片を示す図であり、（Ａ）は断面図、（Ｂ）は（Ａ）を上から見た図、（Ｃ）は（Ａ）を右側から見た図である。
【図８】第二片を示す図であり、（Ａ）は断面図、（Ｂ）は（Ａ）を上から見た図、（Ｃ）は（Ａ）を右側から見た図である。
【図９】本発明の他の実施形態に係る窓シャッター装置の一部省略縦断面図である。
【符号の説明】
【００２７】
３  シャッターケース
４  シャッターカーテン
５  シャッター用巻取シャフト
６  ブラケット
１１  網戸
１２  網戸用巻取シャフト
１４  網戸用ブラケット
１５  仕切板
１６  ストッパー
１７  第一板片
１８  第二板片
Ｓ  収納空間
【図１】
2008150843.tif 000003
【図２】
2008150843.tif 000004
【図３】
2008150843.tif 000005
【図４】
2008150843.tif 000006
【図５】
2008150843.tif 000007
【図６】
2008150843.tif 000008
【図７】
2008150843.tif 000009
【図８】
2008150843.tif 000010
【図９】
2008150843.tif 000011